(57)【特許請求の範囲】
【請求項１】
光ケーブルの端末の外被が剥離されてその端部から所定長の光ファイバ心線及びテンションメンバが引き出され、該光ファイバ心線の端部に光コネクタが取り付けられ、該光コネクタが取り付けられた光ファイバ心線が収納体に収納され、耐抗張力及び可撓性を有する保護筒体の内部に該収納体が格納され、該保護筒体は一端に牽引部材を備え他端（基端部）で前記光ケーブルの端部の外被及び前記テンションメンバを固着した構成の光ケーブルの端末構造であって、前記収納体の先端部には引出し紐が設けられ、前記可撓性の保護筒体の先端には前記収納体の先端部に設けられている引出し紐の引出し口が設けられていることを特徴とする光ケーブルの端末構造。
【請求項２】
光ケーブルの端末の外被が剥離されてその端部から所定長の光ファイバ心線及びテンションメンバが引き出され、該光ファイバ心線の端部に光コネクタが取り付けられ、該光コネクタが取り付けられた光ファイバ心線が収納体に収納され、耐抗張力及び可撓性を有する保護筒体の内部に該収納体が格納され、該保護筒体は一端に牽引部材を備え他端（基端部）で前記光ケーブルの端部の外被及び前記テンションメンバを固着した構成の光ケーブルの端末構造の形成方法であって、前記光コネクタが取り付けられた光ファイバ心線を収納体に収納する際に、前記光ファイバ心線と共にその光コネクタを可撓性シートで包囲し、次に可撓性シートの先端に取り付けられた引っ張り紐を前記収納体に挿通して前記光ファイバ心線と共にその光コネクタを包囲した前記可撓性シートを前記収納体内に収納し、次に前記収納体の先端に取り付けられた引出し紐を前記可撓性の保護筒体の先端側に設けられた紐引出し口より引出して光コネクタが取り付けられた光ファイバ心線を前記収納体と共に前記可撓性の保護筒体に格納することを特徴とする光ケーブルの端末構造の形成方法。
【請求項３】
光コネクタを包囲した可撓性シートを収納体に入れて収納した後前記可撓性シートのみを収納体より取り出すことを特徴とする請求項２記載の光ケーブルの端末構造の形成方法。
【請求項４】
光ケーブルの端末の外被が剥離されてその端部から所定長の光ファイバ心線及びテンションメンバが引き出され、該光ファイバ心線の端部に光コネクタが取り付けられ、該光コネクタが取り付けられた光ファイバ心線が可撓性シートで包囲されて収納され、該可撓性シートで包囲されて収納された光ファイバ心線が耐抗張力及び可撓性を有する保護筒体の内部に格納され、該保護筒体は一端に牽引部材を備え、他端（基端部）で前記光ケーブルの端部の外被及び前記テンションメンバを固着した構成の光ケーブルの端末構造の形成方法であって、前記光ファイバ心線を収納した可撓性シートを前記可撓性の保護筒体の内部に格納する際に、前記可撓性シートの先端に取り付けられた引っ張り紐を前記可撓性の保護筒体の先端側に形成された紐引出し口より引出し、前記光コネクタが取り付けられた光ファイバ心線を前記可撓性シートと共に前記可撓性の保護筒体に格納することを特徴とする光ケーブルの端末構造の形成方法。
【発明の詳細な説明】
【０００１】
【産業上の利用分野】
本発明は光コネクタ付き光ケーブルの端末構造とその端末構造の形成方法に関する。更に詳しくは光ケーブルの端部に保護筒体を有する光ケーブルの端末構造とその端末構造の形成方法に関する。
【０００２】
【従来の技術】
光ケーブルの端末から所定長引き出された光ファイバ心線の端部に光コネクタが取り付けられた光コネクタ付き光ケーブルは、その光ファイバ心線の部分が通常保護筒体に収納され光ケーブルの端末に固定される。この保護筒体の先端に牽引部材を設けることによって該光ケーブルを布設する際に牽引部材に牽引ロープを連結してダクト、管路等の内部を通して牽引される。この光コネクタ付き光ケーブルの端末構造として例えば図６又は図７に示すようなものがある。
【０００３】
図６に示す光ケーブルの端末構造２０は、光ケーブル１の端末の外被２にフランジ２１を固定し、該フランジ２１の先端に光ケーブル端末から露出されたテンションメンバ３の端末に固定したテンションメンバ引留部２２の基端部を固定すると共に、牽引部材２３に連結されたテンションメンバ２４の端末をテンションメンバ引留部２２に固定して、索引部財２１と光ケーブル１のテンションメンバ３とを連結し、光ケーブル１の端末と牽引部材２３との間にプラスチック等の合成樹脂部材により形成された保護筒体２６を冠着し、当該保護筒体２６内、且つテンションメンバ引留部２２の前方側に光ケーブル１の端末から露出された各光ファイバ心線４の余長部４ａ、及びこれらの光ファイバ心線４の端部にそれぞれ接続された各光コネクタ５を収納するようにしたものである。
【０００４】
図７に示す光ケーブルの端末構造３０は、光ケーブル１の端末から露出されたテンションメンバ３の端末にテンションメンバ引留部３１を固定し、先端にアイボルト等の牽引部材３２が固定された金属製の保護筒体３３を光ケーブル１の端末の外被２に冠着し、光ケーブル１の端末から露出された光ファイバ心線４の端部に接続された光コネクタ５を収納し、保護筒体３３の基端部近傍でテンションメンバ引留部３１を保護筒体３３の外側からネジ３４により固定したものである。
【０００５】
【発明が解決しようとする課題】
図６に示す光ケーブルの端末構造２０にあっては、光ケーブル１の牽引の際に牽引部材２３に加わるテンションはテンションメンバ２４、テンションメンバ引留部２２更に光ケーブル１のテンションメンバ３と加わり、保護筒体２６内の光ファイバ心線４等には一切加わらない構造となっている。この光ケーブルの端末構造２０は保護筒体２６がプラスチック製であるから可撓性を有しているので屈曲した管路内の牽引が可能である。また、光コネクタ５はテンションメンバ２４に固定されている光コネクタ取付板２５等に取付固定されるので、牽引中に光コネクタ５が保護筒体２６内で暴れることがなく光コネクタ５が損傷を受けることがない。
【０００６】
しかし、この光ケーブルの端末構造２０は、保護筒体２６の中心にテンションメンバ２４が貫通し、更にこのテンションメンバ２４にプラスチック製の保護筒体２６が側圧により潰れることを防止する保護板２７〜２９が複数箇所に設けられているために、光ファイバ心線４及び光コネクタ５の収納空間が制限され、光コネクタ付き光ケーブルの細径化が困難であるという問題がある。
【０００７】
図７に示す光ケーブルの端末構造３０にあっては、光ケーブル１の牽引の際に牽引部材３２に加わるテンションは保護筒体３３、テンションメンバ引留部３１更に光ケーブル１のテンションメンバ３と加わり、保護筒体３３内の光ファイバ心線４等には一切加わらない構造となっている。この光ケーブルの端末構造３０はテンションは保護筒体３３で受けるので、保護筒体３３内にはテンションメンバが不要となりその分光ファイバ心線４及び光コネクタ５の収納空間が多くなる利点がある。
【０００８】
しかし、保護筒体３３が金属製であるので可撓性がないため、屈曲した管路内の牽引が難しいという問題がある。保護筒体３３を波付き管とすることにより可撓性を持たせることが可能となるが、光ファイバ心線と光コネクタ５とを直接保護筒体３３に入れる構造なので、特に波付き管とした場合光コネクタ５が波の凹凸に引っ掛かったりして通しにくい。極端な場合、光コネクタ５が引っ掛かって光ファイバ心線を座屈破断させる恐れもある。また、保護筒体３３内の光コネクタ５は保護筒体３３内でなにものにも支持されていないので牽引中に光コネクタ５が保護筒体３３内で暴れて光コネクタ５同士がぶつかり合いして光ファイバ心線４又は／及び光コネクタ５が損傷を受けることがある。また、波付き管が屈曲した際に波の間に光ファイバ心線４又は／及び光コネクタ５を挟み込んでしまい光ファイバ心線４又は／及び光コネクタ５を損傷させるおそれもある。
【０００９】
本発明は上記の課題を解決し、可撓性を有した保護筒体であって、保護筒体内の収納空間を広くすると共に、保護筒体内の光コネクタに損傷を与えることのない光ケーブルの端末構造とその形成方法を提供することを目的とするものである。
【００１０】
【課題を解決するための手段】
本発明は上記の課題を解決するために以下のような手段を有している。
【００１１】
本発明の請求項１の光ケーブルの端末構造は、  光ケーブルの端末の外被が剥離されてその端部から所定長の光ファイバ心線及びテンションメンバが引き出され、該光ファイバ心線の端部に光コネクタが取り付けられ、該光コネクタが取り付けられた光ファイバ心線が収納体に収納され、耐抗張力及び可撓性を有する保護筒体の内部に該収納体が格納され、該保護筒体は一端（基端部）に牽引部材を備え他端で前記光ケーブルの端部の外被及び前記テンションメンバを固着した構成の光ケーブルの端末構造であって、前記収納体の先端部には引出し紐が設けられ、前記可撓性の保護筒体の先端には前記収納体の先端部に設けられている引出し紐の引出し口が設けられていることを特徴とする。
【００１２】
本発明の請求項２の光ケーブルの端末構造の形成方法は、光ケーブルの端末の外被が剥離されてその端部から所定長の光ファイバ心線及びテンションメンバが引き出され、該光ファイバ心線の端部に光コネクタが取り付けられ、該光コネクタが取り付けられた光ファイバ心線が収納体に収納され、耐抗張力及び可撓性を有する保護筒体の内部に該収納体が格納され、該保護筒体は一端に牽引部材を備え他端（基端部）で前記光ケーブルの端部の外被及び前記テンションメンバを固着した構成の光ケーブルの端末構造の形成方法であって、前記光コネクタが取り付けられた光ファイバ心線を収納体に収納する際に、前記光ファイバ心線と共にその光コネクタを可撓性シートで包囲し、次に可撓性シートの先端に取り付けられた引っ張り紐を前記収納体に挿通して前記光ファイバ心線と共にその光コネクタを包囲した前記可撓性シートを前記収納体内に収納し、次に前記収納体の先端に取り付けられた引出し紐を前記可撓性の保護筒体の先端側に設けられた紐引出し口より引出して光コネクタが取り付けられた光ファイバ心線を前記収納体と共に前記可撓性の保護筒体に格納することを特徴とする。
【００１３】
本発明の請求項３の光ケーブルの端末構造の形成方法は、光コネクタを包囲した可撓性シートを収納体に入れて収納した後前記可撓性シートのみを収納体より取り出すことを特徴とする。
【００１４】
本発明の請求項４の光ケーブルの端末構造の形成方法は、光ケーブルの端末の外被が剥離されてその端部から所定長の光ファイバ心線及びテンションメンバが引き出され、該光ファイバ心線の端部に光コネクタが取り付けられ、該光コネクタが取り付けられた光ファイバ心線が可撓性シートで包囲されて収納され、該可撓性シートで包囲されて収納された光ファイバ心線が耐抗張力及び可撓性を有する保護筒体の内部に格納され、該保護筒体は一端に牽引部材を備え、他端（基端部）で前記光ケーブルの端部の外被及び前記テンションメンバを固着した構成の光ケーブルの端末構造の形成方法であって、前記光ファイバ心線を収納した可撓性シートを前記可撓性の保護筒体の内部に格納する際に、前記可撓性シートの先端に取り付けられた引っ張り紐を前記可撓性の保護筒体の先端側に形成された紐引出し口より引出し、前記光コネクタが取り付けられた光ファイバ心線を前記可撓性シートと共に前記可撓性の保護筒体に格納することを特徴とする。
【００１５】
【作用】
本発明のうち請求項１の光ケーブルの端末構造によれば、光ケーブルの端末の外被が剥離されてその端部から所定長の光ファイバ心線及びテンションメンバが引き出され、該光ファイバ心線の端部に光コネクタが取り付けられ、該光コネクタが取り付けられた光ファイバ心線が収納体に収納され、耐抗張力及び可撓性を有する保護筒体の内部に該収納体が格納され、該保護筒体は一端に牽引部材を備え他端（基端部）で前記光ケーブルの端部の外被及び前記テンションメンバを固着した構成の光ケーブルの端末構造であり、以下のような作用を有している。
【００１６】
可撓性の保護筒体は耐抗張力を有しているので保護筒体内部にテンションメンバを必要としない分保護筒体の内部の収納空間は充分となり保護筒体を小型にすることができる。
【００１７】
光ケーブルの牽引中に光コネクタが動いても光コネクタは例えばプラスチック製の袋状の収納体に収納されているので暴れ回るようなことがなく光コネクタが損傷を受けることはない。
【００１８】
また、光ファイバ心線及び光コネクタを保護筒体に収納する際に光ファイバ心線及び光コネクタは前述のように収納体に収納されているので通し易い。
【００１９】
さらに、収納体は先端部に引出し紐が設けられていて、この引出し紐を可撓性の保護筒体の先端に設けられている引出し紐の引出し口より引出すことによってこの収納体は可撓性の保護筒体の中に容易に格納することができる。すなわち、収納体の先端が保護筒体の内面に引っ掛かっても、前記引出し紐が収納体の座屈を防ぐので、収納体を保護筒体内に容易に案内でき、格納することができる。
【００２０】
さらにまた、光ケーブルの布設前の待機時に、保護筒体内面に気温の変動により結露が生じることがある。特に保護筒体が金属であるとその影響が大きいが光ファイバ心線及び光コネクタは収納体に収納されているので、保護筒体内に結露が生じても光コネクタに影響を与えることがない。
【００２１】
本発明のうち請求項２または請求項３の光ケーブルの端末構造の形成方法によれば、光ケーブルの端末の外被が剥離されてその端部から所定長の光ファイバ心線及びテンションメンバが引き出され、該光ファイバ心線の端部に光コネクタが取り付けられ、該光コネクタが取り付けられた光ファイバ心線が収納体に収納され、耐抗張力及び可撓性を有する保護筒体の内部に該収納体が格納され、該保護筒体は一端に牽引部材を備え他端（基端部）で前記光ケーブルの端部の外被及び前記テンションメンバを固着した構成の光ケーブルの端末構造の形成方法であって、前記光コネクタが取り付けられた光ファイバ心線を収納体に収納する際に、前記光ファイバ心線と共にその光コネクタを可撓性シートで包囲し、次に可撓性シートの先端に取り付けられた引っ張り紐を前記収納体に挿通して前記光ファイバ心線と共にその光コネクタを包囲した前記可撓性シートを前記収納体内に収納し、次に前記収納体の先端に取り付けられた引出し紐を前記可撓性の保護筒体の先端側に設けられた紐引出し口より引出して光コネクタが取り付けられた光ファイバ心線を前記収納体と共に前記可撓性の保護筒体に格納するので、光ケーブルの牽引中に光コネクタが動いても光コネクタは収納体に収納されているので暴れ回るようなことがなく光コネクタが損傷を受けることのない光ケーブルの端末構造を形成することができる。
【００２２】
また、光コネクタが取り付けられた光ファイバ心線を収納体に収納する際に、光ファイバ心線と共に光コネクタを可撓性シートで包囲して収納体に収納するので、収納体に光コネクタを直接収納するときに収納体内面と光コネクタの摩擦により光コネクタに接続されている光ファイバ心線が座屈するような事故を防止できる。また、可撓性シートにより光ファイバ心線と共に光コネクタを高密度に締めつけて包囲することにより収納体の外径を小さくすることができる。その結果可撓性の保護筒体自体も小径化することが可能となり、光ケーブルの端末構造全体を小型にすることができる。光ケーブルの端末構造が小型になると光ケーブル布設用の配線ダクトや洞導内の布設が容易となる。
【００２３】
また、光ファイバ心線及び光コネクタを保護筒体を通す際に光ファイバ心線及び光コネクタは収納体に収納されているので通し易い。
【００２４】
さらに、収納体は先端部に引出し紐が設けられていて、この引出し紐を可撓性の保護筒体の先端に設けられている引出し紐の引出し口より引出すことによって収納体は可撓性の保護筒体の中に容易に格納することができる。
【００２５】
さらにまた、光ケーブルの布設前の待機時に、保護筒体内面に気温の変動により結露が生じることがある。特に保護筒体が金属であるとその影響が大きいが光ファイバ心線及び光コネクタは、例えばプラスチック製の袋状の収納体に収納されているので、保護筒体内に結露が生じても光コネクタに影響を与えることがない。
【００２６】
本発明のうち請求項３の光ケーブルの端末構造の形成方法によれば、光コネクタを包囲した可撓性シートを収納体に入れて収納した後可撓性シートのみを収納体より取り出すことにより、収納体内の収容体積を小さくすることができる。
【００２７】
本発明のうち請求項４の光ケーブルの端末構造の形成方法によれば、光ケーブルの端末の外被が剥離されてその端部から所定長の光ファイバ心線及びテンションメンバが引き出され、該光ファイバ心線の端部に光コネクタが取り付けられ、該光コネクタが取り付けられた光ファイバ心線が可撓性シートで包囲されて収納され、該可撓性シートで包囲されて収納された光ファイバ心線が耐抗張力及び可撓性を有する保護筒体の内部に格納され、該保護筒体は一端に牽引部材を備え、他端（基端部）で前記光ケーブルの端部の外被及び前記テンションメンバを固着した構成の光ケーブルの端末構造の形成方法であって、前記光ファイバ心線を収納した可撓性シートを前記可撓性の保護筒体の内部に格納する際に、前記可撓性シートの先端に取り付けられた引っ張り紐を前記可撓性の保護筒体の先端側に形成された紐引出し口より引出し、前記光コネクタが取り付けられた光ファイバ心線を前記可撓性シートと共に前記可撓性の保護筒体に格納するので、光ケーブルの牽引中に光コネクタが動いても光コネクタは可撓性のシートに収納されているので暴れ回るようなことがなく光コネクタ及びこれに接続されている光ファイバ心線が損傷を受けることのない光ケーブルの端末構造を形成することができる。
【００２８】
また、光コネクタが取り付けられた光ファイバ心線を可撓性シートに収納する際に、光ファイバ心線と共に光コネクタを可撓性シートで包囲して収納するので、光ファイバ心線と共に光コネクタを高密度に締めつけて包囲することにより可撓性シートの外径を小さくすることができる。その結果、可撓性の保護筒体自体も小径化することが可能となり、光ケーブルの端末構造全体を小型にすることができる。光ケーブルの端末構造が小型になると光ケーブル布設用の配線ダクトや洞導内の布設が容易となる。
【００２９】
また、光ファイバ心線及び光コネクタを保護筒体を通す際に光ファイバ心線及び光コネクタは可撓性のシートに包囲されて収納されているので通し易い。
【００３０】
さらに、可撓性シートは先端部に引っ張り紐が設けられていて、この引っ張り紐を可撓性の保護筒体の先端に設けられている紐の引出し口より引出すことによって可撓性シートは可撓性の保護筒体の中に容易に格納することができる。すなわち、引っ張り紐の存在により、可撓性シートが保護筒体の内面に引っ掛かってもこの引っ張り紐を引っ張れば、容易に引っ掛かりがはずれるから光ファイバ心線の座屈を防止することができ、しかも容易に保護筒体内に可撓性シートを案内できる。
【００３１】
さらにまた、光ケーブルの布設前の待機時に、保護筒体内面に気温の変動により結露が生じることがある。特に保護筒体が金属であるとその影響が大きいが光ファイバ心線及び光コネクタは可撓性のシートに収納されているので、保護筒体内に結露が生じても光コネクタに影響を与えることがない。
【００３２】
【実施例】
以下に本発明を実施例により詳細に説明する。なお、従来のものと同様のものについては従来のものと同符号を付して詳細な説明は省略する。
【００３３】
本発明の光ケーブルの端末構造とその形成方法を図１ないし図５を参照して説明する。本発明の光ケーブルの端末構造１０は光ケーブル１の端末に可撓性の保護筒体６を設けたものである。
【００３４】
可撓性の保護筒体６は、例えばステンレス製の波付き管で構成されたものあるいは、この波付き管の外周にステンレス細線や高張力繊維等の坑張力線を縦添えしたり、編組したものを被せ、これを後述する牽引フランジ６Ｂとフランジ１１とを溶接により、あるいは接着材等により固着したもので、その先端には、例えばアイボルト６Ａを有した牽引フランジ６Ｂが気密に溶接またはろう付け等で固着されている。保護筒体６の後端は光ケーブル１の外被２の端部に固着されたフランジ１１に気密に着脱可能に固着されている。符号６Ｃ１はパッキン、符号６Ｃ２は固定ボルトである。フランジ１１の保護筒体６内の端面には光ケーブル１のテンションメンバ３を固定するテンションメンバ引留部１２が着脱可能にボルト等によって取り付けられている。
【００３５】
テンションメンバ３とテンションメンバ引留部１２のスリーブ１２Ａとはかしめ等により一体に固着されている。光ケーブル１の外被２とフランジ１１とは気密を保つために防水シール１１Ａが巻かれている。保護筒体６の内部には透明又は半透明の例えばポリエチレン等のプラスチック製の袋状の収納体１３に収納されている光ファイバ心線４及び光コネクタ５が格納されている。
【００３６】
プラスチック製の収納体１３の先端にはナイロン等の引出し紐１４が結び付けられている。引出し紐１４はナイロンに限らず可撓性があるものであればよく綿製や鉄、銅等の金属細線でも良い。可撓性の保護筒体６の先端に固着されている牽引フランジ６Ｂには引出し紐１４を引き出す際の紐引出し口１５が設けられており、この紐引出し口１５には保護筒体６を気密に保ための気密栓１６が図４に示すように設けられている。
【００３７】
上記のような光ケーブルの端末構造１０は以下の手順で形成される。テンションメンバ３を有する光ケーブル１の端末の外被２が所定長剥離されて端部から光ファイバ心線４が所定長の余長４ａを有して引き出され、この光ファイバ心線４の端部には光コネクタ５が取り付けられる。光コネクタ５が取り付けられた光ファイバ心線４を図２に示すように可撓製のプラスチックシート１７で複数本一括して包囲して収納する。このプラスチックシート１７は重ね合わせ縁に例えば両面接着テープ等を添着して筒状の袋体に形成して光コネクタ５が取り付けられた光ファイバ心線４を包囲して収納する。
【００３８】
筒状の袋体に形成したプラスチックシート１７の先端にはナイロン等で構成された引っ張り紐１８が結び付けられており、この引っ張り紐１８の一端をプラスチック製の袋状の収納体１３に挿通して引っ張り紐１８を緊張させる。引っ張り紐１８はナイロンに限らず可撓性があるものであればよく綿製や鉄、銅等の金属細線でも良い。
【００３９】
上記の状態でプラスチック製の収納体１３を光コネクタ５が取り付けられた光ファイバ心線４を包囲して収納している筒状に形成したプラスチックシート１７の方に移動させて光コネクタ５が取り付けられた光ファイバ心線４を包囲して収納している状態のプラスチックシート１７を収納する。プラスチック製の収納体１３内にプラスチックシート１７を収納した後、プラスチックシート１７を収納体１３内より取り出して光コネクタ５が取り付けられた光ファイバ心線４を直接収納体１３内に収納する。光コネクタ５が取り付けられた光ファイバ心線４を複数本一括してプラスチック製の収納体１３に収納した後、その収納体１３の入り口側を適宜の手段、例えば紐で封止する。
【００４０】
なお、上記のように、一旦プラスチックシート１７に光コネクタ５が取り付けられた光ファイバ心線４を包囲して収納した後に収納体１３内に収納するのは、以下の理由による。すなわち、複数本の光コネクタ５が取り付けられた光ファイバ心線４を収納体１３内に高密度に直接収納するのは非常に困難な作業となるが、プラスチックシート１７に光コネクタ５が取り付けられた光ファイバ心線４を包囲して収納することによって容易に収納体１３内に収納することができるからである。
【００４１】
なお、上記において、収納体１３内にプラスチックシート１７を収納した後、プラスチックシート１７を収納体１３内より取り出して光コネクタ５が取り付けられた光ファイバ心線４を収納体１３内に収納するようにしたが、プラスチックシート１７を収納体１３内より取り出さずにそのままにしておいてもよい。但し、プラスチックシート１７を収納体１３内より取り出すことによって収納体１３内の収容体積を小さくすることができ、かつプラスチックシート１７を再利用できる。
【００４２】
その後、保護筒体６内に光ファイバ心線４及び光コネクタ５を収納している収納体１３を格納する。保護筒体６内に収納体１３を格納する手順を図３に示す。収納体１３の先端に結び付けられている引出し紐１４を保護筒体６内に挿通して保護筒体６の先端に固着されている牽引フランジ６Ｂに設けられている紐引出し口１５より引き出し、引出し紐１４を緊張させた状態にする。この状態にして光ファイバ心線４及び光コネクタ５を収納している収納体１３の方に保護筒体６を移動させて光ファイバ心線４及び光コネクタ５を収納している収納体１３を保護筒体６内に格納する。その後、引出し紐１４を紐引出し口１５より保護筒体６内に戻して紐引出し口１５を気密栓１６で気密に封止する。
【００４３】
なお、上記のように引出し紐１４を保護筒体６内に挿通して牽引フランジ６Ｂに設けられている紐引出し口１５より引き出して緊張させた状態で収納体１３を保護筒体６内に格納するのは、収納体１３に収納されている複数本の光ファイバ心線４及び光コネクタ５がばらばらであったり、その本数が多数であっても容易に引き入れ格納することができるからである。
【００４４】
次いで、円筒状の金属製のフランジ１１を光ケーブル１の外被２の端部に嵌め込み周知の手段で気密に固定する。フランジ１１を光ケーブル１の外被２に固定するに先立って、フランジ１１の光ケーブル１の先端側の端面に設けられているテンションメンバ引留部１２のスリーブ１２Ａに光ケーブル１の端部から所定長引き出されているテンションメンバ３を挿入してスリーブ１２Ａとテンションメンバ３をかしめて固着する。
【００４５】
その後、光ファイバ心線４及び光コネクタ５を収納している収納体１３を格納している保護筒体６の基端部をフランジ１１に気密に装着して固定ボルト６Ｃ２で一体に固定することで光ケーブルの端末構造１０は形成される。
【００４６】
なお、上記実施例において、 光コネクタ５が取り付けられた光ファイバ心線４を複数本一括して図２に示すように可撓製のプラスチックシート１７を筒状の袋体に形成して収納し、この筒状の袋体に形成したプラスチックシート１７を収納体１３に収納しているが、このプラスチックシート１７を収納体１３として使用してもよい。すなわち、光コネクタ５が取り付けられた光ファイバ心線４を複数本一括して筒状の袋体に形成した可撓製のプラスチックシート１７に収納し、このプラスチックシート１７を直接保護筒体６内に直接格納する。
【００４７】
保護筒体６内に光ファイバ心線４及び光コネクタ５を収納しているプラスチックシート１７を格納する手順を図５に示す。光ファイバ心線４及び光コネクタ５を収納している筒状の袋体に形成したプラスチックシート１７の先端に結び付けられている引っ張り紐１８を保護筒体６内に挿通して保護筒体６の先端に固着されている牽引フランジ６Ｂに設けられている紐引出し口１５より引き出し、引っ張り紐１８を緊張させた状態にする。この状態にして光ファイバ心線４及び光コネクタ５を収納しているプラスチックシート１７の方に保護筒体６を移動させて光ファイバ心線４及び光コネクタ５を収納しているプラスチックシート１７を保護筒体６内に格納する。その後、引っ張り紐１８を紐引出し口１５より保護筒体６内に戻して紐引出し口１５を気密栓１６で気密に封止する。その後の手順は前述の実施例と同様につき詳細な説明を省略する。
【００４８】
【発明の効果】
以上述べたように、本発明の請求項１の光ケーブルの端末構造によれば、光ケーブルの端末の外被が剥離されてその端部から所定長の光ファイバ心線及びテンションメンバが引き出され、該光ファイバ心線の端部に光コネクタが取り付けられ、該光コネクタが取り付けられた光ファイバ心線が収納体に収納され、耐抗張力及び可撓性を有する保護筒体の内部に該収納体が格納され、該保護筒体は一端に牽引部材を備え他端（基端部）で前記光ケーブルの端部の外被及び前記テンションメンバを固着した構成の光ケーブルの端末構造であり、以下のような効果を有している。
【００４９】
可撓性の保護筒体は耐抗張力を有しているので保護筒体内部にテンションメンバを必要としない分保護筒体の内部の収納空間は充分となり保護筒体を小型にすることができる。光ケーブルの牽引中に光コネクタが動いても光コネクタは収納体に収納されているので暴れ回るようなことがなく光コネクタが損傷を受けることはない。
【００５０】
また、光ファイバ心線及び光コネクタを保護筒体を通す際に光ファイバ心線及び光コネクタは収納体に収納されていて、さらに、この収納体は先端部に引出し紐が設けられていて、この引出し紐を可撓性の保護筒体の先端に設けられている引出し紐の引出し口より引出すことによって収納体は可撓性の保護筒体の中に容易に格納することができる。より具体的には収納体の先端が保護筒体の内面に引っ掛かっても、引出し紐を引っ張ることで簡単に引っ掛かりがはずれ収納体を容易に保護筒体に格納できる。しかも引っ掛かりが簡単にはずれることで光コネクタに接続された光ファイバ心線の座屈も防止できる。
【００５１】
さらにまた、光ケーブルの布設前の待機時に、保護筒体内面に気温の変動により結露が生じることがある、特に保護筒体が金属であるとその影響が大きいが光ファイバ心線及び光コネクタは可撓性の収納体に収納されているので、保護筒体内に結露が生じても光コネクタに影響を与えることがない。
【００５２】
本発明のうち請求項２または請求項３の光ケーブルの端末構造の形成方法によれば、光ケーブルの端末の外被が剥離されてその端部から所定長の光ファイバ心線及びテンションメンバが引き出され、該光ファイバ心線の端部に光コネクタが取り付けられ、該光コネクタが取り付けられた光ファイバ心線が収納体に収納され、耐抗張力及び可撓性を有する保護筒体の内部に該収納体が格納され、該保護筒体は一端に牽引部材を備え他端（基端部）で前記光ケーブルの端部の外被及び前記テンションメンバを固着した構成の光ケーブルの端末構造の形成方法であって、前記光コネクタが取り付けられた光ファイバ心線を収納体に収納する際に、前記光ファイバ心線と共にその光コネクタを可撓性シートで包囲し、次に可撓性シートの先端に取り付けられた引っ張り紐を前記収納体に挿通して前記光ファイバ心線と共にその光コネクタを包囲した前記可撓性シートを前記収納体内に収納し、次に前記収納体の先端に取り付けられた引出し紐を前記可撓性の保護筒体の先端側に設けられた紐引出し口より引出して光コネクタが取り付けられた光ファイバ心線を前記収納体と共に前記可撓性の保護筒体に格納するので、光ケーブルの牽引中に光コネクタが動いても光コネクタは可撓性の袋体に収納されているので暴れ回るようなことがなく光ファイバ心線や光コネクタが損傷を受けることのない光ケーブルの端末構造を形成することができる。
【００５３】
また、光コネクタが取り付けられた光ファイバ心線を収納体に収納する際に、光ファイバ心線と共に光コネクタを可撓性シートで包囲して収納体に収納するので、光ファイバ心線と共に光コネクタを高密度に締めつけて包囲することにより収納体の外径を小さくすることができる。その結果可撓性の保護筒体自体も小径化することが可能となり、光ケーブルの端末構造全体を小型にすることができる。光ケーブルの端末構造が小型になると光ケーブル布設用の配線ダクトや洞導内の布設が容易となる。
【００５４】
また、光ファイバ心線及び光コネクタを保護筒体を通す際に光ファイバ心線及び光コネクタは収納体に収納されているので通し易い。
【００５５】
さらに、収納体は先端部に引出し紐が設けられていて、この引出し紐を可撓性の保護筒体の先端に設けられている引出し紐の引出し口より引出すことによって収納体の先端が保護筒体内面に引っ掛かってもこれを簡単にはずすことができるので収納体を可撓性の保護筒体の中に容易に格納することができる。
【００５６】
さらにまた、光ケーブルの布設前の待機時に、保護筒体内面に気温の変動により結露が生じることがある、特に保護筒体が金属であるとその影響が大きいが光ファイバ心線及び光コネクタは収納体に収納されているので、保護筒体内に結露が生じても光コネクタに影響を与えることがない。
【００５７】本発明のうち請求項３の光ケーブルの端末構造の形成方法によれば、光コネクタを包囲した可撓性シートを収納体に入れて収納した後可撓性シートのみを収納体より取り出すことにより、収納体内の収容体積を小さくすることができる。
【００５８】
本発明のうち請求項４の光ケーブルの端末構造の形成方法によれば、光ケーブルの端末の外被が剥離されてその端部から所定長の光ファイバ心線及びテンションメンバが引き出され、該光ファイバ心線の端部に光コネクタが取り付けられ、該光コネクタが取り付けられた光ファイバ心線が可撓性シートで包囲されて収納され、該可撓性シートで包囲されて収納された光ファイバ心線が耐抗張力及び可撓性を有する保護筒体の内部に格納され、該保護筒体は一端に牽引部材を備え、他端（基端部）で前記光ケーブルの端部の外被及び前記テンションメンバを固着した構成の光ケーブルの端末構造の形成方法であって、前記光ファイバ心線を収納した可撓性シートを前記可撓性の保護筒体の内部に格納する際に、前記可撓性シートの先端に取り付けられた引っ張り紐を前記可撓性の保護筒体の先端側に形成された紐引出し口より引出し、前記光コネクタが取り付けられた光ファイバ心線を前記可撓性シートと共に前記可撓性の保護筒体に格納するので、光ケーブルの牽引中に光コネクタが動いても光コネクタは可撓性のシートに収納されているので暴れ回るようなことがなく光ファイバ心線や光コネクタが損傷を受けることのない光ケーブルの端末構造を形成することができる。
【００５９】
また、光コネクタが取り付けられた光ファイバ心線を可撓性シートに収納する際に、光ファイバ心線と共に光コネクタを可撓性シートで包囲して収納するので、光ファイバ心線と共に光コネクタを高密度に締めつけて包囲することにより可撓性シートの外径を小さくすることができる。その結果、可撓性の保護筒体自体も小径化することが可能となり、光ケーブルの端末構造全体を小型にすることができる。光ケーブルの端末構造が小型になると光ケーブル布設用の配線ダクトや洞導内の布設が容易となる。
【００６０】
また、光ファイバ心線及び光コネクタを保護筒体を通す際に光ファイバ心線及び光コネクタは可撓性のシートに包囲されて収納されているので通し易い。
【００６１】
さらに、可撓性シートは先端部に引っ張り紐が設けられていて、この引っ張り紐を可撓性の保護筒体の先端に設けられている紐の引出し口より引出すことによってたとえ、可撓性シートの先端が保護筒体内面に引っ掛かっても、引っ張ることで引っ掛かりを容易にはずせるので可撓性シートは可撓性の保護筒体の中に容易に格納することができる。
【００６２】
さらにまた、光ケーブルの布設前の待機時に、保護筒体内面に気温の変動により結露が生じることがある、特に保護筒体が金属であるとその影響が大きいが光ファイバ心線及び光コネクタは可撓性のシートに収納されているので、保護筒体内に結露が生じても光コネクタに影響を与えることがない。
【図面の簡単な説明】
【図１】本発明の光ケーブルの端末構造の一実施例を示す断面図である。
【図２】本発明の光ケーブルの端末構造の形成方法の一工程を示す説明図である。
【図３】本発明の光ケーブルの端末構造の形成方法の一工程を示す説明図である。
【図４】本発明の光ケーブルの端末構造の一実施例の一部を拡大した断面図である。
【図５】本発明の光ケーブルの端末構造の形成方法の他の一工程を示す説明図である。
【図６】従来の光ケーブルの端末構造の一例を示す断面図である。
【図７】従来の光ケーブルの端末構造のその他の一例を示す断面図である。
【符号の説明】
１ 光ケーブル
２ 外被
３ テンションメンバ
４ 光ファイバ心線
５ 光コネクタ
６ 保護筒体
６Ｂ 牽引フランジ
１１ フランジ
１２ テンションメンバ引留部
１３ 収納体
１４ 引出し紐
１５ 紐引出し口
１７ プラスチックシート
１８ 引っ張り紐
【図１】
0003571783.tif 000002
【図２】
0003571783.tif 000003
【図３】
0003571783.tif 000004
【図４】
0003571783.tif 000005
【図５】
0003571783.tif 000006
【図６】
0003571783.tif 000007
【図７】
0003571783.tif 000008